(57)【要約】【課題】画像形成装置が電源オフシーケンスの状態にあるときに、操作者が外部操作手段を用いて電源オフシーケンスを中止させ、電源オン状態に復帰させることができる画像形成装置を提供する。【解決手段】電源オン状態で電源オフ指令を受けた場合に電源オフシーケンスを開始し、電源オフシーケンスが終了することで電源オフ状態となる画像形成装置において、外部操作手段と、外部操作手段が操作されたことを検知する検知手段（Ｓ４０６）と、電源オフシーケンスが開始された状態において外部操作手段が操作されたことを検知手段で検知した場合に、電源オフシーケンスを中止して電源オン状態に復帰するように制御する制御手段（Ｓ４１０，Ｓ４１１）と、を備えた画像形成装置により前記課題を解決する。【選択図】図４
2009145749.tif 000002
【特許請求の範囲】
【請求項１】
電源オン状態で電源オフ指令を受けた場合に電源オフシーケンスを開始し、電源オフシーケンスが終了することで電源オフ状態となる画像形成装置において、
外部操作手段と、
前記外部操作手段が操作されたことを検知する検知手段と、
電源オフシーケンスが開始された状態において前記外部操作手段が操作されたことを前記検知手段で検知した場合に、電源オフシーケンスを中止して電源オン状態に復帰するように制御する制御手段と、
を備えたことを特徴とする画像形成装置。
【請求項２】
請求項１に記載の画像形成装置において、
前記外部操作手段とは、操作者からの操作入力を受け付ける操作部であることを特徴とする画像形成装置。
【請求項３】
請求項１に記載の画像形成装置において、
前記外部操作手段は、給紙部、排紙部、ドア部、原稿読取装置の少なくとも１つを含むことを特徴とする画像形成装置。
【請求項４】
請求項１に記載の画像形成装置において、
感光ドラムと、前記感光ドラムに当接して感光ドラムに形成された静電潜像に現像剤を付着させる現像部とを備え、
前記制御手段は、前記外部操作手段が操作されたことを前記検知手段が検知したことにより電源オフシーケンスを中止して電源オン状態に復帰する場合に、前記感光ドラムと前記現像部を非接触状態にさせる離間動作または前記感光ドラムと前記現像部との間の圧力を減圧させる減圧動作が行われているとき、もしくは離間動作または減圧動作が終了していたときには、前記感光ドラムと前記現像部の離間状態または減圧状態を維持したまま電源オン状態に復帰するように制御することを特徴とする画像形成装置。
【請求項５】
請求項１に記載の画像形成装置において、
感光ドラムと、前記感光ドラムに記録媒体を介して当接して感光ドラムに形成された現像剤像を前記記録媒体に転写する転写部とを備え、
前記制御手段は、前記外部操作手段が操作されたことを前記検知手段が検知したことにより電源オフシーケンスを中止して電源オン状態に復帰する場合に、前記感光ドラムと前記転写部を非接触状態にさせる離間動作または前記感光ドラムと前記転写部との間の圧力を減圧させる減圧動作が行われているとき、もしくは離間動作または減圧動作が終了していたときには、前記感光ドラムと前記転写部の離間状態または減圧状態を維持したまま電源オン状態に復帰するように制御することを特徴とする画像形成装置。
【請求項６】
請求項１に記載の画像形成装置において、
現像剤像が転写された記録媒体を挟み込み加圧および加熱することで現像剤像を記録媒体に溶融定着させる定着部を備え、
前記制御手段は、前記外部操作手段が操作されたことを前記検知手段が検知したことにより電源オフシーケンスを中止して電源オン状態に復帰する場合に、記録媒体を加圧するために接触している定着部のローラもしくはパッドを非接触状態にさせる離間動作または記録媒体を加圧するための圧力を減圧させる減圧動作が行われているとき、もしくは離間動作または減圧動作が終了していたときには、前記定着部の離間状態または減圧状態を維持したまま電源オン状態に復帰するように制御することを特徴とする画像形成装置。
【請求項７】
請求項１に記載の画像形成装置において、
形成する画像情報および画像形成条件の少なくとも一つを記憶する記憶部を備え、
前記制御手段は、前記外部操作手段が操作されたことを前記検知手段が検知したことにより電源オフシーケンスを中止して電源オン状態に復帰する場合に、記憶部へのデータ書込み動作もしくはデータ読出し動作が行われているときには、前記記憶部のデータ書込み動作もしくはデータ読出し動作を継続したまま電源オン状態に復帰するように制御することを特徴とする画像形成装置。
【請求項８】
請求項１ないし７のいずれかに記載の画像形成装置において、
任意の時間に電源をオフする自動停止手段を備え、
前記制御手段は、自動停止手段の指示により前記電源オフシーケンスを開始することを特徴とする画像形成装置。
【発明の詳細な説明】
【技術分野】
【０００１】
本発明は、電源オフシーケンスを有する画像形成装置に関し、特にその電源オフシーケンスからの復帰の際の操作性の向上に関するものである。
【背景技術】
【０００２】
画像形成装置としては、電子写真方式やその他の記録方式を採用するレーザビームプリンタおよび複写機等が存在するが、以下では画像形成装置の一例としてレーザビームプリンタを例に挙げて説明する。
【０００３】
図７は、画像形成装置の一例を示す概略構成の模式的断面図である。図７に示す画像形成装置には、イエロー、マゼンタ、シアン、ブラックの各色ごとに４つの画像形成部が配置されている。以下の各符号のａ、ｂ、ｃ、ｄは、それぞれイエロー、マゼンタ、シアン、ブラック用であることを意味するものとする。
【０００４】
各々の画像形成部は、像担持体９１５ａ、９１５ｂ、９１５ｃ、９１５ｄ、像担持体９１５ａ、９１５ｂ、９１５ｃ、９１５ｄを一様に所定の電位に帯電するための帯電部９１３ａ、９１３ｂ、９１３ｃ、９１３ｄ、帯電された像担持体９１５ａ、９１５ｂ、９１５ｃ、９１５ｄ上に各色画像データに対応したレーザ光を照射して静電潜像を形成するためのレーザスキャナユニット９１１ａ、９１１ｂ、９１１ｃ、９１１ｄ、像担持体９１５ａ、９１５ｂ、９１５ｃ、９１５ｄ上に形成された静電潜像を現像して顕像化するための現像部９１６ａ、９１６ｂ、９１６ｃ、９１６ｄ、現像部９１６ａ、９１６ｂ、９１６ｃ、９１６ｄ内の各色現像剤を像担持体９１５ａ、９１５ｂ、９１５ｃ、９１５ｄに送り出すためのスリーブローラ９１４ａ、９１４ｂ、９１４ｃ、９１４ｄ、現像剤の転写後に像担持体９１５ａ、９１５ｂ、９１５ｃ、９１５ｄ上に残留した現像剤を除去するためのクリーニング部９１７ａ、９１７ｂ、９１７ｃ、９１７ｄを備える。また、廃現像剤を収納するために廃現像剤ユニット９１２ａ、９１２ｂ、９１２ｃ、９１２ｄが設けられている。
【０００５】
画像形成部に対向して中間転写体ユニットが配置されている。前記中間転写体ユニットは中間転写体９０１を備えており、前述の手法で形成した画像を中間転写体９０１に一次転写する。この中間転写体９０１は、中間転写体９０１を駆動する駆動ローラ９３１ｃ、中間転写体９０１に張力を与えるテンションローラ９３１ａ、記録媒体Ｐに二次転写するための転写部９４１を備えている。
【０００６】
画像形成装置の下部には記録媒体Ｐが収納された給紙カセット９０３が配置されている。記録媒体Ｐの搬送経路９２１には、記録媒体Ｐを給紙する給紙ローラ９０４、記録媒体Ｐの先端を検出し、画像形成プロセスのタイミングをはかるための紙先端位置検出センサ９０５を備える。また、像担持体９１５ａ、９１５ｂ、９１５ｃ、９１５ｄに形成された画像を中間転写体９０１に転写するタイミングを合わせるために記録媒体Ｐを待機させるためのレジストローラ９０６が備えられている。
【０００７】
中間転写体９０１に形成された画像は記録媒体Ｐに転写される。記録媒体Ｐ上に転写された４色の各現像剤画像を定着部９０２において加圧および加熱して溶融定着させた後、定着された記録媒体Ｐは機外に排出されて画像形成動作が終了する。
【０００８】
以上のような構成からなる画像形成装置の動作は、図示してはいないエンジン制御部により制御されている。エンジン制御部は、駆動制御部、温調制御部、通信部、電源部、高圧電源部、センサ検出部、走査部等を有している。画像情報はコンピュータ等の外部接続機器から通信部を通じて送られる。
【０００９】
前述のような画像形成装置には、電源オフシーケンスを有するものがある。電源オフシーケンスとは、エンジン制御部が電源スイッチ、外部操作手段、外部接続機器等からの電源オフ指令を受け、画像形成装置の各ユニットを所定の状態に移行した後に、電源オフ状態に遷移させる処理のことである。
【００１０】
電源オフシーケンスの例として、例えば、画像形成を行っている最中であれば、記録媒体が排出されるまでは画像形成を続ける処理が挙げられる。また、装置内の揮発性メモリに蓄えられた情報を不揮発性メモリに移してデータが失われないようにする処理が挙げられる（特許文献１）。また、像担持体や中間転写体に残存した現像剤を除去する操作を行う処理も挙げられる。
【００１１】
また、画像形成時に感光体や記録媒体や中間転写体をローラで挟み込むことで接触させ、もしくは加圧して現像、転写、定着などの処理を行っている画像形成装置においては、ローラで接触もしくは加圧したままの状態で電源オフ状態になってしまうと、感光体や中間転写体やローラが変形してしまう可能性がある。この変形により、所望の接触状態や圧力で感光体や記録媒体や転写媒体を加圧することができなくなり、所望の画像形成を実現できなくなる。また、記録媒体や中間転写体の所望の搬送動作が行えなくなり、所望の画像形成を実現できなくなる場合もある。そこで、画像形成を行わない電源オフ状態においては、ローラで加圧している圧力を減少させる処理が必要となる。そこで、電源オフシーケンスとして現像部、転写部、定着部などで加えている圧力を減圧する処理や、接触している状態から非接触状態に移行する離間処理などを行う必要がある。以上では、ローラで接触もしくは加圧しているとしているが、ローラの代わりにパッドを用いている構成もある。
【００１２】
従来の画像形成装置においては、例えば電源オン状態のときに電源オフ指令が出された場合、エンジン制御部で電源オフシーケンスを開始する指令を出し、電源オフシーケンスがすべて終了してから電源がオフされるように制御されていた。
【特許文献１】特開平７−５９５７号公報
【発明の開示】
【発明が解決しようとする課題】
【００１３】
しかしながら、電源オフシーケンスが開始された画像形成装置を、再び電源オン状態に戻したいという要望が操作者から生じた場合、従来の画像形成装置においては、再び電源スイッチを押すという操作が必要であった。操作者が誤って電源スイッチを押してしまった場合や、操作者が画像形成装置の使用を終えるつもりで意図的に電源スイッチを押して電源をオフさせようとした場合がある。そして、再び使用する必要が出てきたときなどには、電源オフシーケンスの最中でも電源オン状態に復帰させたいという要求が生じることになる。また、操作者が電源オフシーケンス中に画像形成装置に対して何らかの操作を行い、画像形成装置が電源オン状態に復帰することを期待している場合でも、従来は操作者が電源スイッチを押す必要があった。
【００１４】
画像形成装置が操作パネルなどの外部操作手段を具備している場合、外部操作手段からも電源オフシーケンス中の画像形成装置の電源を再びオンする指令を与えられることが、操作者にとって利便性が高いといえる。
【００１５】
本発明は、このような状況のもとでなされたもので、画像形成装置が電源オフシーケンスの状態にあるときに、操作者が外部操作手段を用いて電源オフシーケンスを中止させ、電源オン状態に復帰させることができる画像形成装置を提供することを課題とする。
【課題を解決するための手段】
【００１６】
前記課題を解決するため、本発明では、画像形成装置をつぎの（１）のとおりに構成する。
【００１７】
（１）電源オン状態で電源オフ指令を受けた場合に電源オフシーケンスを開始し、電源オフシーケンスが終了することで電源オフ状態となる画像形成装置において、
外部操作手段と、
前記外部操作手段が操作されたことを検知する検知手段と、
電源オフシーケンスが開始された状態において前記外部操作手段が操作されたことを前記検知手段で検知した場合に、電源オフシーケンスを中止して電源オン状態に復帰するように制御する制御手段と、
を備えた画像形成装置。
【発明の効果】
【００１８】
本発明に係る画像形成装置においては、電源オフシーケンスが開始された状態において、外部操作手段を操作することにより電源オフシーケンスを中止し、電源オン状態に復帰させることができるようになる。従って、電源スイッチのみでしか電源オン状態に復帰できない場合と比べて操作性を向上させることができる。
【発明を実施するための最良の形態】
【００１９】
以下本発明を実施するための最良の形態を、実施例により詳しく説明する。
【実施例１】
【００２０】
実施例１である“画像形成装置”について説明する。本実施例の画像形成装置の全体構成は、図７と同様なので、その説明を援用し、ここでの説明を省略する。
【００２１】
図１に本実施例の画像形成装置における構成の概略を示す。画像形成装置１００は、電源ケーブル１５１により商用電源１５０に接続されている。商用電源１５０からは画像形成装置１００の電源部１１０に交流電源が供給されており、電源部１１０から各ユニットに電力が供給される。電源部１１０から各ユニットへは、交流電源をそのまま供給する場合もあれば、直流電源に変換してから供給する場合もある。
【００２２】
画像形成装置１００は、制御部１４０を有し、各ユニットは制御部１４０により制御されている。操作部１２０は制御部１４０と通信しており、例えば外部からの入力（操作入力１２１）を検出した場合、操作信号１２２を制御部１４０に送る。画像形成装置は、表示部１３０を有し、制御部１４０からの表示データ１４３に基づいて表示を行う。画像形成装置１００に具備された操作部１２０、表示部１３０、制御部１４０、感光部１６０、走査部１６１、駆動部１６２、現像部１６３〈感光ドラムに現像剤像を形成する、請求項でいう静電潜像に現像剤を付着させる現像部に相当〉、転写部１６４、定着部１６５、給紙部１６６、排紙部１６７、ドア部１６８、記憶部１６９、通信部１７０は、電源部１１０から電源を供給されており、制御部１４０によって制御されている。本実施例では操作部１２０と表示部１３０とを分けて表記したが、タッチパネル方式のように一体化されていても構わない。
【００２３】
電源部１１０は電源スイッチ部１１１を有する。電源スイッチ部１１１が外部からの入力（電源入力１１５）を検出した場合、電源信号１１６を制御部１４０に伝える。制御部１４０では、電源信号１１６を受けたときに画像形成装置が電源オン状態であれば、電源信号１１６を電源オフ指令として認識する。電源信号１１６を受けたときに画像形成装置が電源オフ状態であれば、電源信号１１６を電源オン指令として認識する。ただし、短時間に連続して電源信号１１６が入力された場合には、その限りではない。
【００２４】
例えば、極めて短い期間に連続して電源信号１１６の入力があった場合には、誤操作もしくはチャタリングであると認識し、その時の電源信号を無視しても良い。また、電源オン状態または電源オフ状態のいずれでもない場合、すなわち電源オンシーケンスもしくは電源オフシーケンスの最中においては、電源オンシーケンスもしくは電源オフシーケンスの開始後に入力された電源信号の回数を基準として、電源オン指令か電源オフ指令かを判断しても良い。ただし、電源オフシーケンス中であれば、電源オン指令であると認識し、電源オンシーケンス中であれば、電源オフ指令であると認識しても構わない。
【００２５】
図２および図３に本実施例の画像形成装置における電源スイッチ部１１１の一例となる回路図を示す。図２は状態非保持型電源スイッチ（モメンタリスイッチ）を用いた構成であり、図３は状態保持型電源スイッチ（トグルスイッチ）を用いた場合の構成である。いずれの場合も、電源スイッチが押された際に電源スイッチのオン・オフの信号を制御部１４０のＣＰＵにおいて検出することができる。
【００２６】
図２および図３の構成では、電源スイッチの状態に関わらず、常に動作を継続する常夜電源ＤＣＲを有する。常夜電源ＤＣＲには商用電源ＰＳから電源が供給されており、ＡＣ／ＤＣコンバータ２１０によって直流電源に変換されている。また、常夜電源ＤＣＲの出力側には、常夜電源ＤＣＲの後段の装置へ電力を供給する非常夜電源ＤＣＵが接続されている。常夜電源ＤＣＲと非常夜電源ＤＣＵとの間にはロードスイッチＦＥＴ１が設けられており、常夜電源ＤＣＲから非常夜電源ＤＣＵに電源を供給するか否かを選択できる。Ｒ１、Ｒ２、Ｒ３、Ｒ４は抵抗器を表す。図２のＲ２１、Ｒ２２、Ｒ２３および図３のＲ３１、Ｒ３２、Ｒ３３、Ｒ３４も抵抗器を表す。モメンタリスイッチとは、操作者がスイッチを押している間のみ導通するスイッチのことである。操作者がスイッチから手を放せば非導通状態となる。もしくは、通常は導通状態であり、操作者がスイッチを押している間は非導通状態となるスイッチもモメンタリスイッチの一種である。
【００２７】
図２の構成において、電源オフの状態でモメンタリスイッチＳＷ２が押された場合、コンデンサＣ１に電荷が保持され、制御部ＣＰＵへの入力信号ＳＷＳＩＧの電圧が上昇する。その結果、トランジスタＴｒ１がオンされ、ロードスイッチＦＥＴ１がオンするため、常夜電源ＤＣＲから非常夜電源ＤＣＵに電源が供給される。非常夜電源ＤＣＵがオン状態となることによって制御部ＣＰＵに電源が供給される。制御部ＣＰＵがトランジスタＴｒ２をオンすることにより、ロードスイッチＦＥＴ１がオンの状態となり、非常夜電源ＤＣＵのオン状態が持続される。
【００２８】
非常夜電源ＤＣＵに電源が供給されると、操作者に電源のオン・オフの状態を告知するための発光ダイオードＤ１が点灯する。発光ダイオードＤ１は、図２のように非常夜電源ＤＣＵに直接つないで、非常夜電源ＤＣＵのオン・オフと連動させて点灯・消灯させても良いし、制御部ＣＰＵからの駆動信号に基づいて発光ダイオードＤ１を点灯・消灯する構成にしても良い。また、発光ダイオードＤ１を設置せずに、非常夜電源ＤＣＵのオン・オフを告知する情報を表示部で表示しても良い。
【００２９】
モメンタリスイッチＳＷ２が非導通状態となった後は、コンデンサＣ１の電荷が減少していき、制御部ＣＰＵへの入力信号ＳＷＳＩＧはＬｏｗとなる。ＳＷＳＩＧがＬｏｗの状態でモメンタリスイッチＳＷ２が押されると、制御部ＣＰＵへの入力信号ＳＷＳＩＧがＨｉｇｈに変化する。その結果、電源オンの状態において、制御部ＣＰＵでモメンタリスイッチＳＷ２が押されたことを検知できる。電源オン状態でモメンタリスイッチＳＷ２が押されたことを検知して、制御部ＣＰＵでは電源オフシーケンスを開始する。電源オフシーケンスが終了した後に、もしくは任意の時間に制御部ＣＰＵがトランジスタＴｒ２をオフすることで、ロードスイッチＦＥＴ１もオフとなり、非常夜電源ＤＣＵへの電源供給が遮断される。その結果、画像形成装置は電源オフの状態となる。
【００３０】
図３は、図２の変形である、状態保持型電源スイッチ（トグルスイッチ）を用いた場合の構成であり、図２と同様に、常夜電源ＤＣＲ、非常夜電源ＤＣＵ、ロードスイッチＦＥＴ１、制御部ＣＰＵが備えられている。また、ロードスイッチＦＥＴ１をオン・オフするためのトランジスタＴｒ１、Ｔｒ２、コンデンサＣ１も同様に備えられている。
トグルスイッチＳＷ３がオン状態となった場合、コンデンサＣ１に電荷が蓄えられ、トランジスタＴｒ１がオンされ、ロードスイッチＦＥＴ１がオンするため、常夜電源ＤＣＲから非常夜電源ＤＣＵに電力が供給される。非常夜電源ＤＣＵがオン状態となることによって制御部ＣＰＵに電源が供給される。制御部ＣＰＵがトランジスタＴｒ２をオンすることにより、ロードスイッチＦＥＴ１がオンするため、非常夜電源ＤＣＵのオン状態を持続することができる。トグルスイッチＳＷ３がオンの状態では制御部ＣＰＵへの入力信号ＳＷＳＩＧはＬｏｗとなる。
【００３１】
非常夜電源ＤＣＵに電源が供給されると、操作者に電源のオン・オフの状態を告知するための発光ダイオードＤ１が点灯する。発光ダイオードＤ１は、図２の場合と同様に非常夜電源ＤＣＵのオン・オフと連動させて点灯・消灯する構成としても良いし、制御部ＣＰＵからの駆動信号に基づいて発光ダイオードＤ１を点灯・消灯する構成としても良い。また、発光ダイオードＤ１の代わりに、非常夜電源ＤＣＵのオン・オフを告知する情報を表示部で表示させても良い。
【００３２】
トグルスイッチＳＷ３がオフ状態となった場合、制御部ＣＰＵへの入力信号ＳＷＳＩＧがＨｉｇｈになるため、制御部ＣＰＵではトグルスイッチＳＷ３がオフとなったことを検出して、制御部ＣＰＵでは電源オフシーケンスを開始する。電源オフシーケンスが終了した後に、もしくは任意の時間に、制御部ＣＰＵがトランジスタＴｒ２をオフすることでロードスイッチＦＥＴ１もオフとなり、非常夜電源ＤＣＵへの電源供給が遮断される。その結果、画像形成装置は電源オフの状態となる。
【００３３】
図２および図３の構成は、スイッチ基板２００とスイッチ基板３００とを取り替えることにより、それ以外の構成を変更することなくモメンタリスイッチとトグルスイッチのいずれも使用することができる。図２もしくは図３の構成を用いることで、電源スイッチ（図２におけるモメンタリスイッチＳＷ２、図３におけるトグルスイッチＳＷ３）による入力信号を制御部ＣＰＵで検知することが可能である。そして制御部ＣＰＵにおいて電源のオン・オフを制御することが可能となる。前述した電源スイッチ部の構成は一例であり、本実施例においては他の構成のスイッチを用いても構わない。
【００３４】
図１において、電源オン状態のときに電源スイッチ部１１１へ電源入力１１５が入力されると、制御部１４０に電源信号１１６が伝わる。制御部１４０では電源信号１１６を検出し、この電源信号１１６が電源オフを要求する指令であると認識し、電源オフシーケンスを開始する。ここでは電源スイッチ部１１１からの信号で電源オフ指令を認識したが、その他の操作部からの信号や、外部接続機器からの通信を通して電源オフ指令が入力されてもよい。
【００３５】
電源オフシーケンスにおいては、例えば以下に述べるような処理を行う。
走査部１６１や駆動部１６２が具備するモータ、ファンを停止させる処理、現像部１６３、転写部１６４、定着部１６５のローラを離間もしくは減圧させる処理、記憶部１６９の不揮発性メモリへデータを書き込むもしくは読み出す処理、外部接続機器１８０と通信部１７０との通信を終了する処理、感光部１６０、現像部１６３、転写部１６４、定着部１６５などに残存した現像剤を除去する処理、表示部１３０を停止する処理などが挙げられる。前述したそれぞれの処理は並列に、もしくは特定の順番で行われ、すべての電源オフシーケンスが終了した後に、電源部１１０から各ユニットに供給している電源をオフ状態に移行する。
【００３６】
図４に本実施例における処理のフローを示す。このフローにおける処理は、制御部１４０のＣＰＵにより行われる。電源オン状態（ステップ４０１参照、以下Ｓ４０１のように略記する）において、電源スイッチ部が押されたことを制御部で検知したら（Ｓ４０２）、電源オフシーケンスが開始される（Ｓ４０３）。電源オフシーケンスの最中に操作部に電源を供給し続けることで、操作部に入力された操作入力を検知することが可能である。また、電源オフシーケンスを行っている間は、電源オフシーケンス中であることを操作者に告知する情報を表示部で表示させる（Ｓ４０４）。また、操作部の特定のスイッチを押すことにより、電源オフシーケンスを中止し、電源オン状態に復帰できることを操作者に告知する情報を表示部で表示する。操作者が電源オフシーケンス中に電源スイッチを押した場合（Ｓ４０５）は、電源オフシーケンスを中止することを告知する情報を表示部で表示させ（Ｓ４１０）、電源オフシーケンスを中止し電源オン状態に復帰させる（Ｓ４１１）。電源オフシーケンス中に操作部の特定のスイッチが押された場合（Ｓ４０６）も同様に電源オフシーケンスを中止することを告知する情報を表示部で表示させ（Ｓ４１０）、電源オフシーケンスを中止し電源オン状態に復帰させる（Ｓ４１１）。Ｓ４０４、Ｓ４０５、Ｓ４０６のフローを電源オフシーケンスが終了するまで継続させる（Ｓ４２０）。電源オフシーケンスが終了した後に、表示部をオフし（Ｓ４２１）、電源オフ状態（Ｓ４２２）へ移行する。
【００３７】
電源オン状態への復帰の際は、例えば以下の操作を行う。走査部１６１や駆動部１６２が具備するモータやファンを起動する操作、現像部１６３、転写部１６４、定着部１６５のローラを当接もしくは加圧する操作、外部接続機器との通信を再開させる操作などである。記憶部１６９が具備する不揮発性メモリへのデータ（形成する画像情報および画像形成条件の少なくとも一つ）の書込みおよび読出し（請求項のデータ書込み動作もしくはデータ読出し動作に相当）については、書込みまたは読出しが終了するまで継続させる。以上の操作を行うことによって、電源オフシーケンスから電源オン状態に復帰させる。
【００３８】
本実施例においては、操作部１２０の特定のスイッチが押されることとしたが、操作部１２０の任意のスイッチが押された場合にも、電源オン状態に復帰する構成にしても良い。また、電源オフシーケンスの開始条件を電源スイッチが押されることとしたが、その他の外部操作手段や外部接続機器１８０からの入力によって電源オフシーケンスが開始されても良い。また、現像部１６３、転写部１６４、定着部１６５はローラであるとしたが、パッドやベルトであっても良い。離間・当接・減圧・加圧動作においては、現像部１６３、転写部１６４、定着部１６５を直接動かすという構成でなくてもよい。例えば感光ドラムやその他のローラ、パッド、ベルト等を動かすことにより離間・当接・減圧・加圧の動作を実現する構成であっても良い。また、図４のフローでは、電源オフシーケンスが終わった後に表示部１３０をオフさせるとしたが、電源オフシーケンスの途中で表示部１３０をオフさせても良い。また、図１において電源スイッチ部１１１は電源部１１０の内部に含まれる構成としたが、電源部の外部にあっても良い。各ユニットは制御部１４０において制御されているとしたが、各々のユニットが個別に制御部を有しており、各ユニットの制御部が通信を行いながら動作している構成であっても構わない。
【００３９】
以上説明したように、本実施例によれば、操作者が電源スイッチ以外の外部操作手段である操作部を操作することによっても電源オフシーケンスを中止し、電源オン状態へ復帰させることができる。その結果、操作者にとっての操作性を向上させることができる。
【実施例２】
【００４０】
実施例２である“画像形成装置”について説明する。本実施例の画像形成装置における全体構成は図７と同様であり、構成の概略は図１と同様なので、それぞれの説明を援用し、ここでの説明は省略する。
【００４１】
本実施例における、画像形成装置における制御フローを図５に示す。このフローにおける処理は、制御部１４０のＣＰＵにより行われる。
電源オン状態（Ｓ５０１）において、電源スイッチ部１１１が押されたことが検知されたら（Ｓ５０２）、電源オフシーケンスが開始される（Ｓ５０３）。電源オフシーケンス中にも各ユニットに電源を供給し続ける、もしくは各ユニットに備えられているセンサを動作させ続けることで、各ユニットが操作されたか否かの検知が可能である。また、電源オフシーケンスを行っている間は、電源オフシーケンスの最中であることを操作者に告知する情報を表示部１３０で表示させる。また、電源オフシーケンスを中止して電源オン状態に復帰する際の操作方法を操作者に告知する情報を表示部で表示する（Ｓ５０４）。電源オフシーケンス中に、電源スイッチが押された場合（Ｓ５０５）、操作部のスイッチが押された場合（Ｓ５０６）、給紙部が開閉された場合（Ｓ５０７）、排紙部が開閉された場合（Ｓ５０８）、ドア部が開閉された場合（Ｓ５０９）は、電源オフシーケンスを中止することを告知する情報を表示部で表示させ（Ｓ５１０）、電源オフシーケンスを中止し電源オン状態に復帰させる（Ｓ５１１）。Ｓ５０４、Ｓ５０５、Ｓ５０６、Ｓ５０７、Ｓ５０８、Ｓ５０９のフローを電源オフシーケンスが終了するまで繰り返し行う（Ｓ５２０）。電源オフシーケンスが終了した後に、表示部１３０を停止し（Ｓ５２１）、電源オフ状態（Ｓ５２２）へ移行する。
【００４２】
本実施例においては、電源オフシーケンスの開始条件を電源スイッチが押されることとしたが、その他の外部操作手段や外部接続機器１８０からの入力によって電源オフシーケンスが開始されても良い。また、現像部１６３、転写部１６４、定着部１６５はローラであるとしたが、パッドやベルトであっても良い。離間・当接・減圧・加圧動作においては、現像部１６３、転写部１６４、定着部１６５を直接動かすという構成でなくてもよい。例えば感光ドラム１６０やその他のローラ、パッド、ベルト等を動かすことにより離間・当接・減圧・加圧の動作を実現する構成であっても良い。また、図５のフローでは電源オフシーケンスが終わった後に表示部１３０をオフさせるとしたが、電源オフシーケンスの途中で表示部１３０をオフさせても良い。また、図１において電源スイッチ部１１１は電源部１１０の内部に含まれる構成としたが、電源部の外部にあっても良い。
【００４３】
以上説明したように、本実施例によれば、操作者が電源スイッチ以外の外部操作手段である操作部、給紙部、排紙部、ドア部、原稿読取装置（画像形成装置本体に接続されている場合）を操作することによっても電源オフシーケンスを中止し、電源オン状態へ復帰させることができる。その結果、操作者にとっての操作性を向上させることができる。
【実施例３】
【００４４】
実施例３である“画像形成装置”について説明する。本実施例の画像形成装置における全体構成は図７と同様であり、構成の概略は図１と同様なので、それぞれの説明を援用し、ここでの説明は省略する。
【００４５】
本実施例における、画像形成装置の制御フローを図６に示す。このフローにおける処理は、制御部１４０のＣＰＵにより行われる。
電源オン状態（Ｓ６０１）において、電源オフ信号の入力されたことが検知されたら（Ｓ６０２）、電源オフシーケンスが開始される（Ｓ６０３）。電源オフ信号は、電源スイッチが押されたことを伝える信号であっても良いし、パソコンなどの外部接続機器からの入力であっても良いし、操作部が具備するスイッチが押されたことを伝える信号であっても良い。さらに、制御部が任意の時間に画像形成装置の電源をオフする際の自動停止信号（請求項の自動停止手段の指示に相当）であっても良い。
【００４６】
電源オフシーケンスの最中に各ユニットに電源を供給し続けることで、操作部に入力された外部入力を検知することが可能である。また、電源オフシーケンスを行っている間は、電源オフシーケンスの最中であることを操作者に告知する情報を表示部で表示させる。また、特定の操作をすることにより、電源オフシーケンスを中止し、電源オン状態に復帰することができることを操作者に告知する情報を表示部で表示する（Ｓ６０４）。電源オフシーケンス中に、電源オフシーケンスを中止する信号が入力されなかった場合（Ｓ６０５）で、電源オフシーケンスが終了すれば（Ｓ６２０）、表示部を停止し（Ｓ６２１）、電源オフ状態（Ｓ６２２）へ移行する。
【００４７】
電源オフシーケンスを中止する信号とは、実施例２で示したように、電源スイッチが押されたことを伝える信号であっても良いし、操作部、給紙部、排紙部、ドア部が操作されたことを検出した信号であっても良い。さらにパソコンなどの外部接続機器からの入力であっても良い。
電源オフシーケンス中に、電源オフシーケンスを中止する信号が入力された場合（Ｓ６０５）は、電源オフシーケンスを中止することを告知する情報を表示部１３０で表示させる（Ｓ６１０）。さらに定着部が離間動作を行っていた場合、もしくは定着部が減圧動作を行っていた場合（Ｓ６３０）は、定着部を離間させたまま、もしくは減圧状態のままの状態で、電源オン状態に復帰させる（Ｓ６４０）。定着部が離間動作、減圧動作を行っていない場合は、離間動作、減圧動作は行わずに電源オン状態に復帰させる（Ｓ６５０）。
【００４８】
本実施例では、Ｓ６３０、Ｓ６４０において、離間状態または減圧状態を維持する対象を定着部としたが、定着部のみではなく、現像部や転写部であっても構わない。また、定着部、現像部、転写部の各々が独立して離間または減圧状態を維持する構成であっても構わない。
【００４９】
その後、画像形成を行う際には、現像部や転写部や定着部を当接、加圧させる操作を行う。
【００５０】
以上説明した本実施例によれば、画像形成装置のオフシーケンスを中止し、再び電源オフ状態に移行させる場合には、電源オン状態への移行を短時間で行うことが可能となる。
【図面の簡単な説明】
【００５１】
【図１】実施例１の画像形成装置の概略を示すブロック図
【図２】実施例１の画像形成装置における電源スイッチ部の構成の一例を示す回路図
【図３】実施例１の画像形成装置における電源スイッチ部の構成の一例を示す回路図
【図４】実施例１の画像形成装置の制御フローを示す図
【図５】実施例２の画像形成装置の制御フローを示す図
【図６】実施例３の画像形成装置の制御フローを示す図
【図７】従来例の画像形成装置の概略を示す模式的断面図
【符号の説明】
【００５２】
１００      画像形成装置
１２０      操作部
１３０      表示部
１４０      制御部
【図１】
2009145749.tif 000003
【図２】
2009145749.tif 000004
【図３】
2009145749.tif 000005
【図４】
2009145749.tif 000006
【図５】
2009145749.tif 000007
【図６】
2009145749.tif 000008
【図７】
2009145749.tif 000009